【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
歯科疾患確定装置は、う蝕確定手段を備える事を特徴とする歯科疾患確定装置。
【請求項２】
歯科疾患確定装置は、所定の光プローブ（手段）を備える事を特徴とする歯科疾患確定装置。
【請求項３】
歯科疾患確定装置は、う蝕や歯質欠損の垂直位置を検出する垂直位置検出手段を備える事を特徴とする歯科疾患確定装置。
【請求項４】
歯科疾患確定装置は、う蝕や歯質欠損の水平位置を検出する水平位置検出手段を備える事を特徴とする歯科疾患確定装置。
【請求項５】
歯科疾患確定装置は、３次元形状計測手段と所定の光プローブ（手段）を備える事を特徴とする歯科疾患確定装置。
【請求項６】
歯科疾患確定装置は、窩洞形成手段と所定の光プローブ（手段）を備える事を特徴とする歯科疾患確定装置。
【請求項７】
歯科疾患確定装置は、断層手段を備える事を特徴とする歯科疾患確定装置。
【請求項８】
歯科疾患確定装置は、特願平３−７４０３３号歯間修復用補填物の作成装置または特願平８−２７３７６０号ハンドピースの操作表示装置におけるいづれかまたはその組み合わせにおける切削子の３次元位置形状検出手段と所定の光プローブ（手段）とを備える事を特徴とする歯科疾患確定装置。
【請求項９】
請求項１から請求項８のいづれかの歯科疾患確定装置は、所定のカメラ一体化光プローブ（手段）を備える事を特徴とする歯科疾患確定装置。
【手続補正２】
【補正対象書類名】明細書
【補正対象項目名】０００４
【補正方法】変更
【補正の内容】
【０００４】
１〔請求項１の手段〕
請求項１の歯科疾患確定装置は、う蝕確定手段を備える事を特徴とする。
２〔請求項２の手段〕
請求項２の歯科疾患確定装置は、所定の光プローブ（手段）を備える事を特徴とする。
３〔請求項３の手段〕
請求項３の歯科疾患確定装置は、う蝕や歯質欠損の垂直位置を検出する垂直位置検出手段を備える事を特徴とする。
４〔請求項４の手段〕
請求項４の歯科疾患確定装置は、う蝕や歯質欠損の水平位置を検出する水平位置検出手段を備える事を特徴とする。
５〔請求項５の手段〕
請求項５の歯科疾患確定装置は、３次元形状計測手段と所定の光プローブ（手段）を備える事を特徴とする。
６〔請求項６の手段〕
請求項６の歯科疾患確定装置は、窩洞形成手段と所定の光プローブ（手段）を備える事を特徴とする。
７〔請求項７の手段〕
請求項７の歯科疾患確定装置は、断層手段を備える事を特徴とする。
８〔請求項８の手段〕
請求項８の歯科疾患確定装置は、特願平３−７４０３３号歯間修復用補填物の作成装置または特願平８−２７３７６０号ハンドピースの操作表示装置におけるいづれかまたはその組み合わせにおける切削子の３次元位置形状検出手段と所定の光プローブ（手段）とを備える事を特徴とする
９〔請求項９の手段〕
請求項９の歯科疾患確定装置は、所定のカメラ一体化光プローブ（手段）を備える事を特徴とする
旧明細部分
１〔請求項１の手段〕請求項１の歯科疾患確定装置は、う蝕確定手段を備える事を特徴とする。 ２〔請求項２の手段〕  請求項２の歯科疾患確定装置は、所定の光プローブ手段を備える事を特徴とする。 ３〔請求項３の手段〕請求項３の歯科疾患確定装置は、う蝕や歯質欠損の垂直位置を検出するつ。ド段ょりしゅだん垂直位置検出手段を備える事を特徴とする。 ４〔請求項４の手段〕請求項４の歯科疾患確定装置は、う蝕や歯質欠損の水平位置を検出するつ。ド段ょりしゅだん水平位置検出手段を備える事を特徴とする。 ５〔請求項５の手段〕請求項５の歯科疾患確定装置は、３次元形状計測手段と所定の光プローブ（手段）を備える事を特徴とする。 ６〔請求項６の手段〕請求項６の歯科疾患確定装置は、窩洞形成手段と所定の光プローブ（手段）を備える事を特徴とする。 ７〔請求項７の手段〕請求項７の歯科疾患確定装置は、断層手段を備える事を特徴とする。 ８〔請求項８の手段〕請求項８の歯科疾患確定装置は、特願平３−７４０３３号歯間修復用補填物の作成装置または特願平８−２７３７６０号ハンドピースの操作表示装置におけるいづれかまたはその組み合わせにおける切削子の３次元位置形状検出手段と所定の光プローブ（手段）とを備える事を特徴とする。 ９〔請求項９の手段〕    請求項９の歯科疾患確定装置は、CAD/CAM手段と所定の光プローブ（手段）とを備える事を特徴とする。 １０〔請求項１０の手段〕請求項１０の歯科疾患確定装置は、う蝕確定手段としてエナメル質う蝕確定手段を備える事を特徴とする。 １１〔請求項１１の手段〕請求項１０の歯科疾患確定装置は、う蝕確定手段としてエナメル質う蝕広がり確定手段を備える事を特徴とする。 １２〔請求項１２の手段〕請求項１１の歯科疾患確定装置は、う蝕確定手段として象牙質う蝕確定手段を備える事を特徴とする。 １３〔請求項１３の手段〕請求項１２の歯科疾患確定装置は、う蝕確定手段として象牙質う蝕広がり確定手段を備える事を特徴とする。 １４〔請求項１４の手段〕請求項１３の歯科疾患確定装置は、特願平１１−１３６１３２  エキスプローラーの各手段のいづれかまたはその組み合わせを備える。  
【手続補正３】
【補正対象書類名】明細書
【補正対象項目名】０００５
【補正方法】変更
【補正の内容】
【０００５】
１〔請求項１の作用および効果〕
請求項１の歯科疾患確定装置は、う蝕確定手段を備える事を特徴とするので、う蝕の確定ができる。 さらにまた、頬舌的なう蝕の位置が、判明する。  これは、先行文献  特願２００５−３０５４０６  の歯牙診断検査装置による光注入位置のさらなる最適化により明確に観察され（う蝕確定手段が光注入をさらに最適化することができる。）、さらにう蝕確定手段によりう蝕が明確に観察、検出、計測される。すなわち本確定手段によりさらに鮮明、正確になるものである。（ただ単に頬舌的な光照射では到達することができない。）さらにまた垂直位置検出手段が垂直的な位置、広がりを検出し、水平位置検出手段が水平位置、広がりを検出するので、それとともに確定されたう蝕における３次元的な位置、広がりの検出ができる。
２〔請求項２の作用および効果〕
請求項２の歯科疾患確定装置は、所定の光プローブ手段を備える事を特徴とする
ので視野を妨げない、診査、窩洞形成などの道具の運動を妨げないなどの効果がある。さらにR typ G typeの光プローブは、光注入（手段）、光注入位置設定（手段）、歯牙固定
（手段）、視野性能（手段）、運動路確保性能（手段）、にとくにすぐれている。また３
箇所以上の複数注入のマルチタイプ（Multi  type）（手段）は、さらなる最適注入位置
を確保でき、さらに歯牙とプローブの位置を再現、最適化することもできる。さらに垂直的位置、広がり検出、断層撮影にも使用できる。さらにまた歯牙自身、歯牙固定カメラ、ハンドピースなどへの座標整合（手段）もできるなど。非常に優れたプローブ（手段）である。
３〔請求項３の作用および効果〕
請求項３の歯科疾患確定装置は、う蝕や歯質欠
損の垂直位置を検出するつ。ド段ょりしゅだん垂直位置検出手段を備える事を特徴とするので、う蝕や歯質欠損の垂直的位置、広がりが検出できるので、定性、定量、進行量、予防の成否、形成の深さなどが明確になる。  それにより治療においては、最小限の歯質削除（MI）が高度に可能となる。
４〔請求項４の作用および効果〕
請求項４の歯科疾患確
定装置は、う蝕や歯質欠損の水平位置を検出するつ。ド段ょりしゅだん水平位置検出手段を備える事を特徴とするので、う蝕や歯質欠損の水平的位置、広がりが検出できるので、定性、定量、進行量、予防の成否、形成の深さなどが明確になる。  それにより治療においては、最小限の歯質削除（MI）が高度に可能となる。
５〔請求項５の作用および効果〕
請求項５の歯科疾患確定装置は、３次元形状計測手段と所定の光プローブ（手段）を備える事を特徴とするので歯牙、歯牙固定カメラ、ハンドピース、各種インスツルメントなどに対して座標整合できる。これにより再現性ある歯牙形状、歯牙性状やう蝕などの計測、診断、治療、経過観察ができる。とくに接触式３次元形状計測手段を口腔内で使用可能にできる。またカメラ応用の３次元形状計測手段の多重撮影も精度を上げることができる。これに垂直位置検出手段、水平位置検出手段などを併用すれば、歯牙形状とう蝕位置、形状が明確に観察できる。
６〔請求項６の作用および効果〕
請求項６の歯科疾患確定装置は、窩洞形成手段と所定の光プローブ（手段）を備える事を特徴とするので最小限の歯質削除（MI）が高度に可能となる。これに垂直位置検出手段、水平位置検出手段などを併用すれば、さらに高精度にMI形成が可能となる。 
７〔請求項７の作用および効果〕
請求項７の歯科疾患確定装置は、断層手段を備える事を特徴と
するので、断層撮影ができる。
８〔請求項８の作用および効果〕
請求項８の歯科疾患確
定装置は、特願平３−７４０３３号歯間修復用補填物の作成装置または特願平８−２７３７６０号ハンドピースの操作表示装置におけるいづれかまたはその組み合わせにおける切削子の３次元位置形状検出手段と所定の光プローブ（手段）とを備える事を特徴とするので、修復物の作成、高度なMI形成、実習の指導などが可能となる。
９〔請求項９の作用および効果〕
請求項９の歯科疾患確定装置は、所定のカメラ一体化光プローブ（手段）
とを備える事を特徴とするので、高精度な撮影が再現よくできる。一例としてカメラ付プローブ（図２４、図２５）のカメラにビーム投射手段や縞投影手段のいづれかまたはその組み合わせを持たせたりすれば、３次元形状計測が高精度で再現よくできる。これによりう蝕の位置と歯牙の位置が３次元的に検出できる。これにより診断、（MI）形成などの治療、予防が高精度、高信頼性、高再現性など高度にできる。他例として、根管内の撮影、根管治療の可視化、う蝕歯質の除去時の撮影、智歯の抜歯時撮影、歯石除去の撮影、歯周外科の撮影などができるので治療精度が大幅にあがる。また遠隔治療、診断もできる。さらにまたマニュピレータを本プローブに装着すれば、口腔内に手指を挿入しなくとも治療ができる。 
旧明細部分
１〔請求項１の作用および効果〕請求項１の歯科疾患確定装置は、う蝕確定手段を備える事を特徴とするので、う蝕の確定ができる。 さらにまた、頬舌的なう蝕の位置が、判明する。  これは、先行文献  特願２００５−３０５４０６  の歯牙診断検査装置による光注入位置のさらなる最適化により明確に観察され（う蝕確定手段が光注入をさらに最適化することができる。）、さらにう蝕確定手段によりう蝕が明確に観察、検出、計測される。すなわち本確定手段によりさらに鮮明、正確になるものである。（ただ単に頬舌的な光照射では到達することができない。）さらにまた垂直位置検出手段が垂直的な位置、広がりを検出し、水平位置検出手段が水平位置、広がりを検出するので、それとともに確定されたう蝕における３次元的な位置、広がりの検出ができる。 ２〔請求項２の作用および効果〕  請求項２の歯科疾患確定装置は、所定の光プローブ手段を備える事を特徴とするので視野を妨げない、診査、窩洞形成などの道具の運動を妨げないなどの効果がある。さらにR typ G typeの光プローブは、光注入（手段）、光注入位置設定（手段）、歯牙固定（手段）、視野性能（手段）、運動路確保性能（手段）、にとくにすぐれている。また３箇所以上の複数注入のマルチタイプ（Multi  type）（手段）は、さらなる最適注入位置を確保でき、さらに歯牙とプローブの位置を再現、最適化することもできる。さらに垂直的位置、広がり検出、断層撮影にも使用できる。さらにまた歯牙自身、歯牙固定カメラ、ハンドピースなどへの座標整合（手段）もできるなど。非常に優れたプローブ（手段）である。 ３〔請求項３の作用および効果〕請求項３の歯科疾患確定装置は、う蝕や歯質欠損の垂直位置を検出するつ。ド段ょりしゅだん垂直位置検出手段を備える事を特徴とするので、う蝕や歯質欠損の垂直的位置、広がりが検出できるので、定性、定量、進行量、予防の成否、形成の深さなどが明確になる。  それにより治療においては、最小限の歯質削除（MI）が高度に可能となる。 ４〔請求項４の作用および効果〕請求項４の歯科疾患確定装置は、う蝕や歯質欠損の水平位置を検出するつ。ド段ょりしゅだん水平位置検出手段を備える事を特徴とするので、う蝕や歯質欠損の水平的位置、広がりが検出できるので、定性、定量、進行量、予防の成否、形成の深さなどが明確になる。  それにより治療においては、最小限の歯質削除（MI）が高度に可能となる。 ５〔請求項５の作用および効果〕請求項５の歯科疾患確定装置は、３次元形状計測手段と所定の光プローブ（手段）を備える事を特徴とするので歯牙、歯牙固定カメラ、ハンドピース、各種インスツルメントなどに対して座標整合できる。これにより再現性ある歯牙形状、歯牙性状やう蝕などの計測、診断、治療、経過観察ができる。とくに接触式３次元形状計測手段を口腔内で使用可能にできる。またカメラ応用の３次元形状計測手段の多重撮影も精度を上げることができる。これに垂直位置検出手段、水平位置検出手段などを併用すれば、歯牙形状とう蝕位置、形状が明確に観察できる。 ６〔請求項６の作用および効
果〕請求項６の歯科疾患確定装置は、窩洞形成手段と所定の光プローブ（手段）を備える事を特徴とするので最小限の歯質削除（MI）が高度に可能となる。これに垂直位置検出手
段、水平位置検出手段などを併用すれば、さらに高精度にMI形成が可能となる。 ７〔請求項７の作用および効果〕請求項７の歯科疾患確定装置は、断層手段を備える事を特徴とするので、断層撮影ができる。 ８〔請求項８の作用および効果〕請求項８の歯科疾患確定装置は、特願平３−７４０３３号歯間修復用補填物の作成装置または特願平８−２７３７６０号ハンドピースの操作表示装置におけるいづれかまたはその組み合わせにおける切削子の３次元位置形状検出手段と所定の光プローブ（手段）とを備える事を特徴とするので、修復物の作成、高度なMI形成、実習の指導などが可能となる。 ９〔請求項９の作用
および効果〕  請求項９の歯科疾患確定装置は、所定のカメラ一体化光プローブ（手段）とを備える事を特徴とするので、高精度な撮影が再現よくできる。一例としてカメラ付プローブ（図２４、図２５）のカメラにビーム投射手段や縞投影手段のいづれかまたはその組み合わせを持たせたりすれば、３次元形状計測が高精度で再現よくできる。これによりう蝕の位置と歯牙の位置が３次元的に検出できる。これにより診断、（MI）形成などの治療、予防が高精度、高信頼性、高再現性など高度にできる。他例として、根管内の撮影、根管治療の可視化、う蝕歯質の除去時の撮影、智歯の抜歯時撮影、歯石除去の撮影、歯周外科の撮影などができるので治療精度が大幅にあがる。また遠隔治療、診断もできる。さらにまたマニュピレータを本プローブに装着すれば、口腔内に手指を挿入しなくとも治療ができる。 １０〔請求項１０の作用および効果〕請求項１０の歯科疾患確定装置は、う蝕確定手段としてエナメル質う蝕確定手段を備える事を特徴とするので、エナメル質カリエスがわかる。 １１〔請求項１１の作用および効果〕請求項１１の歯科疾患確定装置は、う蝕確定手段としてエナメル質う蝕広がり確定手段を備える事を特徴とするので、エナメル質う蝕の広がりがわかる。 １２〔請求項１２の作用および効果〕請求項１２の歯科疾患確定装置は、う蝕確定手段として象牙質う蝕確定手段を備える事を特徴とするので、象牙質う蝕がわかる。とくに初期象牙質う蝕は、レントゲン中最高の分解能を有する咬翼法でも検出ができない（図１４）が、本発明においては、光プローブ単体でも初期象牙質カリエスが見えさらにう蝕確定手段を使用し、飛躍的に初期象牙質カリエスが認識できる。 １３〔請求項１３の作用および効果〕請求項１３の歯科疾患確定装置は、う蝕確定手段として象牙質う蝕広がり確定手段を備える事を特徴とするので、象牙質う蝕の広がりがわかる。 １４〔請求項１４の作用および効果〕請求項１４の歯科疾患確定装置は、特願平１１−１３６１３２  エキスプローラーの各手段のいづれかまたはその組み合わせを備えるので、ｐH、C,P,Fなどの元素の分布がわかり、う蝕リスク、進行度、などの機能診断がう蝕位置、形状とともに検出できる。